(57)【要約】【課題】  天井裏空間に設置されている設備機器類に対しても効率的かつ容易に保守作業を行うことを可能とする。【解決手段】  主用途ゾーンの外周部や内部に廊下５を配置した形態の建物において、廊下の両側の位置にそれぞれ柱１０を列設するとともに、それら柱間に廊下の長さ方向に沿う方向の大梁１３ａ、１３ｂを各階において上下２段に架設し、廊下の両側に位置する上段の大梁１３ａ相互間には無梁のフラットスラブ１２を架設して廊下の横断方向の梁を省略するとともに、下段の大梁１３ｂ相互間には中間床８を架設することにより、その中間床によって廊下を上下２段に区画してその上段側に主用途ゾーンの上部に設置される機器７の保守を行うための保守通路９を設ける。【選択図】      図３
2005036600.tif 000002
【特許請求の範囲】
【請求項１】
主用途ゾーンの外周部や内部に廊下を配置した形態の建物において、
廊下の両側の位置にそれぞれ柱を列設するとともに、それら柱間に廊下の長さ方向に沿う方向の大梁を各階において上下２段に架設し、
廊下の両側に位置する上段の大梁相互間には無梁のフラットスラブを架設して廊下の横断方向の梁を省略するとともに、下段の大梁相互間には中間床を架設することにより、その中間床によって廊下を上下２段に区画してその上段側に主用途ゾーンの上部に設置される機器類の保守を行うための保守通路を設けたことを特徴とする建物。
【発明の詳細な説明】
【技術分野】
【０００１】
本発明は、研究施設やクリーンルーム等に適用して好適な形態の建物に関する。
【背景技術】
【０００２】
周知のように、この種の施設においては複雑かつ高度の研究設備や生産設備が備えられるばかりでなく、空調設備等の付帯設備も一般の施設の場合に較べれば複雑で大規模なものとなることが通常であり、したがってこの種の用途の施設を運用するに当たってはそれらの設備に対して日常的に保守を行う必要があるし、またそれら設備の更新や変更も頻繁に行われる傾向にある。
【０００３】
そのため、このような施設の建物を計画し設計するに当たっては、設備に対する保守を容易にかつ効率的に行い得る形態であること、また設備の更新や変更に対して広範に対応可能なものであることが望まれ、たとえば特許文献１には、クリーンルーム等を対象とする建物として、外周部に保守作業のための作業動線としてのメカニカルコリドールを確保するという形態の建物が提案されている。
【特許文献１】特開２００２−２５６７１４号公報
【発明の開示】
【発明が解決しようとする課題】
【０００４】
ところで、この種の施設では天井裏空間を設備機器類の設置スペースとして有効活用することが一般的であるが、従来においては天井裏空間に設置した機器類に対する保守作業については特に考慮されていないのが実情であり、たとえば特許文献１に示されるようにクリーンルームの外周部にメカニカルコリドールを配したとしても、クリーンルームの天井裏空間に対する保守作業までは容易に行い得るものではない。
【０００５】
上記事情に鑑み、本発明は天井裏空間に設置されている設備機器類に対しても容易にかつ効率的に保守作業を行うことを可能とする合理的な形態の建物を提供することを目的とする。
【課題を解決するための手段】
【０００６】
請求項１の発明は、主用途ゾーンの外周部や内部に廊下を配置した形態の建物において、廊下の両側の位置にそれぞれ柱を列設するとともに、それら柱間に廊下の長さ方向に沿う方向の大梁を各階において上下２段に架設し、廊下の両側に位置する上段の大梁相互間には無梁のフラットスラブを架設して廊下の横断方向の梁を省略するとともに、下段の大梁相互間には中間床を架設することにより、その中間床によって廊下を上下２段に区画してその上段側に主用途ゾーンの上部に設置される機器類の保守を行うための保守通路を設けたことを特徴とする。
【発明の効果】
【０００７】
本発明の建物によれば、保守作業を必要とする主用途ゾーンの外周部や内部に廊下を設けることで、主用途ゾーンに対する保守作業を廊下から効率的に行い得ることはもとより、その廊下を上下２段に区画して上段側に保守通路を確保したので、主用途ゾーンの上部に対する保守作業も保守通路から行うことができ、したがって主用途ゾーンの天井裏空間を設備機器類の設置スペースとして有効活用しつつ、そこでの保守作業を保守通路から容易にかつ効率的に行うことができる。そして、廊下の両側に上下２段の大梁を設け、上段の大梁間には無梁のフラットスラブを設けて横断方向の梁は省略するとともに、下段の大梁間には保守通路を設けるための中間床を設けるので、建物全体の階高を抑制しながら廊下全体の有効高さおよび保守通路の有効高さを大きく確保できるし、廊下の最上部を配管やダクト類の横引きスペースとして有効に活用することができる。
【発明を実施するための最良の形態】
【０００８】
本発明の一実施形態である建物について図１〜図４を参照して説明する。本実施形態は研究施設への適用例であって、図１に示すように、その平面プランは、多数の実験動物を飼育して各種の実験および試験を行うための主用途ゾーンとしての動物ゾーン１と、一般実験ゾーン２、および居住ゾーン３とに大きく区分されている。主用途ゾーンとしての動物ゾーン１とそれに隣接している一般実験ゾーン２とは無開口の隔壁４により区画されていて、動物ゾーン１から一般実験ゾーン２や居住ゾーン３への動物臭の漏出が完全に遮断されるようになっている。
【０００９】
動物ゾーン１内は飼育室や特殊実験室等の多数の室に区画されているが、その外周部および内部には動物ゾーン１全体の三方を取り囲みかつ内部を横断するように一連の廊下５が設けられており、その廊下５の上部天井裏空間を保守通路９として、その保守通路９を主要な保守動線（すなわちメカニカルコリドー）として機能させて動物ゾーン１内での各種の保守作業を行うようにしている。
【００１０】
すなわち、図２〜図３に示すように、動物ゾーン１の天井裏空間には、空調および換気のための多数のダクト６が敷設されており、それらダクト６の途中にはＣＡＶユニットやＶＡＶユニット、レヒータ、ＨＥＰＡフィルタ等の保守を必要とする機器７が組み込まれているのであるが、それらダクト６は廊下５の上部ないしそれに面する位置を通るように迂回する状態で設けられていて、上記の各機器７は廊下５の上部ないし廊下５に面する位置に配置されることでそれら機器７に対する保守を廊下５の上部において行い得るようになっている。
【００１１】
廊下５の上部からそのような保守を行うために、図３に示すように廊下５の上部に中間床８を設けてその中間床８によって廊下５を上下２段に区画し、その中間床８を足場とする保守通路９が廊下５の上部に確保されている。中間床８としてはたとえばグレーチングやエキスパンドメタル、あるいは縞鋼板等によるいわゆるキャットウォークとして設ければ良いが、いずれにしても必要に応じて根太を設ける等の補強を行って作業員の通行とそこでの保守作業に支障を来すことのない程度の強度を確保すれば良い。勿論、中間床８は構造床として設ける必要はないし、床面積に算定する必要もない。
【００１２】
そして、この建物全体の構造形式は、図４に示すように基本的には柱１０および梁１１による両方向ラーメン架構とされているのであるが、上記のように廊下５を上下２段に区画してその上部に保守通路９を確保することから、廊下５の部分のみは無梁のフラットスラブ１２と上下２段の大梁１３ａ、１３ｂとによる特殊な構造が採用されている。
【００１３】
すなわち、廊下５の両側に列設されている柱１０間にはそれぞれ廊下５の長さ方向に沿う方向の大梁１３ａ、１３ｂが各階において上下２段に架設されている。そして、上段の大梁１３ａ相互間には無梁のフラットスラブ１２が架設されていて、通常であれば廊下５を横断する方向に架設される梁はここでは省略されている。また、下段の大梁１３ｂ相互間には上記の中間床８が架設されている。
【００１４】
このように、廊下５をフラットスラブ１２により構成して横断方向の梁を省略したことにより、建物全体の階高を抑制しながら廊下５全体の有効高さおよび保守通路９の有効高さを充分に大きく確保することができる。たとえば各階の階高をこの種の施設として一般的な４８００ｍｍ程度としたままで、中間床８のレベルをＦＬ＋２４００ｍｍとすれば、下段側に本来の廊下５として支障のない有効高さを確保しつつ、上段側の保守通路９にも２０００ｍｍ程度の有効高さを確保できるから、そこでの保守作業を支障なく行うことができるし、保守通路９の最上部を配管やダクト類の横引きスペースとして有効に活用することができる。
【００１５】
なお、上記のように廊下５を横断する方向の梁を省略しても、フラットスラブ１２や２段の大梁１３ａ、１３ｂにより廊下５の廻りの構造的な安定性や信頼性は支障なく確保できるが、必要であれば適宜の補強を施せば良いし、あるいは要所に制震ダンパーを設けることも考えられる。
【００１６】
以上で本発明の一実施形態を説明したが、上記実施形態はあくまで好適な一例に過ぎず、本発明は上記実施形態に限定されるものでは勿論ない。たとえば上記実施形態は動物ゾーンを主用途ゾーンとする研究施設への適用例であるが、本発明はそのような研究施設に適用することに限らず、様々な用途、規模、形態の建物に広範に適用できるものであることはいうまでもない。
【図面の簡単な説明】
【００１７】
【図１】本発明の一実施形態である建物の平面図である。
【図２】同、設備機器類の設置状況を示す部分平面図である。
【図３】同、部分断面図（図２におけるIII−III線視図）である。
【図４】同、躯体を示す部分拡大断面図（図１におけるIV−IV線視図）である。
【符号の説明】
【００１８】
１  動物ゾーン（主用途ゾーン）
２  一般実験ゾーン
３  居住ゾーン
４  隔壁
５  廊下
６  ダクト
７  機器
８  中間床
９  保守通路
１０  柱
１１  梁
１２  フラットスラブ
１３ａ、１３ｂ  大梁
【図１】
2005036600.tif 000003
【図２】
2005036600.tif 000004
【図３】
2005036600.tif 000005
【図４】
2005036600.tif 000006